(57)【要約】【課題】構造体に組み込む部材の相対的な位置を正確に得るために、設計基準寸法を有する構造体およびこの構造体の基準となる第１の締結部を初めに締結し、その次に他の締結部を締結する構造体の製造方法を提供することにある。【解決手段】一方の締結部材２に締結リベット１の外径より大径の穴４を、他方の締結部材３に前記一方の締結部材２の前記穴４より大径の穴６を設け、前記一方の締結部材２から前記締結リベット１を挿入して締結される設計基準寸法を有する構造体において、両締結部材２、３の長手方向外側の穴４、６が前記締結リベット１によって最初に締結される設計基準寸法を有する構造体。【選択図】　　　　図２
2004108427.tif 000002
【特許請求の範囲】
【請求項１】
一方の締結部材に締結リベットの外径より大径の穴を、他方の締結部材に前記一方の締結部材の前記穴より大径の穴を設け、前記一方の締結部材から前記締結リベットを挿入して締結される設計基準寸法を有する構造体において、両締結部材の長手方向外側の穴が前記締結リベットによって最初に締結されることを特徴とする設計基準寸法を有する構造体。
【請求項２】
一方の締結部材に締結リベットの外径より大径の穴を、他方の締結部材に前記一方の締結部材の前記穴より大径の穴を設け、前記一方の締結部材から前記締結リベットを挿入して締結する構造体の製造方法において、前記両締結部材の前記締結リベットによる締結を、前記両締結部材の長手方向外側の穴同士の第１の締結部に関して最初に行い、次にその内側の前記両締結部材の長手方向の穴同士の第２の締結部に関して行うことを特徴とする構造体の製造方法。
【発明の詳細な説明】
【０００１】
【発明の属する技術分野】
本発明は、締結リベットによって締結された後設計基準寸法を有する構造体およびこの構造体の製造方法に関するものである。
【０００２】
【従来の技術】
２つの部材を１つに接合するために両部材を締結リベットによって接合する技術は広く知られている。図３は締結すべき２枚の締結部材を示す断面図である。図４は図３の締結部材の穴に締結リベットを挿入した状態を示す断面図である。
【０００３】
例えば、一方の部材２と他方の部材３を締結リベット１によって締結する時、締結リベット１のセット性を考慮して一方の部材２に直径Ｄ１の穴２ａを、他方の部材３に直径Ｄ２の穴３ａを設ける。この２つの穴２ａおよび３ａに締結リベット１を図４のように挿入し、カシメ部材９を図４の矢印Ｃ方向に引く。
【０００４】
図５は２枚の締結部材が締結リベットによって締結された状態を示す断面図である。カシメ部材９が図４のＣ方向に引かれると、それによってカシメ部材９の頭部１２は締結リベット１を変形し、変形部分１３と締結リベット１の頭部１１とによって２枚の部材２、３を押さえ込む。これにより２枚の部材２、３と締結リベット１からなる構造体が構成される。
【０００５】
一般に構造体にはこれが剛性を有すること、構造体に組み込む部材の相対的位置が正確に得られることの特性が求められる。特許文献１は剛性を有するという特性に対しては、締結時に締結側に形成される膨径部（変形部分）１３の膨径肉１４を他方の締結部材３の隙間４に食い込ませてカシメ前の隙間を激減させることによって構造体の剛性を得ている。しかし、構造体に組み込む部材の相対的位置が正確に得られるという特性に対してはとくに記載はない。
【０００６】
【特許文献１】
特開平１１−１３７２３号公報
【０００７】
【発明が解決しようとする課題】
そこで本発明の目的は、構造体に組み込む部材の相対的な位置を正確に得るために、設計基準寸法を有する構造体およびこの構造体の基準となる第１の締結部を初めに締結し、その次に他の締結部を締結する構造体の製造方法を提供することにある。
【０００８】
【課題を解決するための手段】
上記目的を達成するために、請求項１記載の発明は、一方の締結部材に締結リベットの外径より大径の穴を、他方の締結部材に前記一方の締結部材の前記穴より大径の穴を設け、前記一方の締結部材から前記締結リベットを挿入して締結される設計基準寸法を有する構造体において、両締結部材の長手方向外側の穴が前記締結リベットによって最初に締結される設計基準寸法を有する構造体を最も主要な特徴とする。
【０００９】
請求項２記載の発明は、一方の締結部材に締結リベットの外径より大径の穴を、他方の締結部材に前記一方の締結部材の前記穴より大径の穴を設け、前記一方の締結部材から前記締結リベットを挿入して締結する構造体の製造方法において、前記両締結部材の前記締結リベットによる締結を、前記両締結部材の長手方向外側の穴同士の第１の締結部に関して最初に行い、次にその内側の前記両締結部材の長手方向の穴同士の第２の締結部に関して行う構造体の製造方法を最も主要な特徴とする。
【００１０】
【発明の実施の形態】
図１は本発明による構造体の締結前の状態を説明する概略図である。本発明の構造体は一方の締結部材２および他方の締結部材３、これらを締結する締結リベット（後述）から構成される。
【００１１】
一方の締結部材２には締結リベット外径より大径の穴４、５を、他方の締結部材３には前記一方の締結部材２の穴４、５より大径の穴６、７を設けている。
【００１２】
前記一方の締結部材２の前記穴４、５および前記他方の締結部材３の前記穴６、７が、両締結部材２、３の長手方向外側の穴４および６に関して、前記一方の締結部材２の前記穴４の直径が前記他方の締結部材３の前記穴６より小さくなっている。
【００１３】
すなわち、一方の締結部材２および他方の締結部材３の穴４および６の穴径φＤ１、φＤ２の大小関係がＤ１＜Ｄ２となるように他方の締結部材３の穴径を大径とする。
【００１４】
以下に締結順序の必要性を第１の締結部１５を初めに締結した場合の構造体の全高（Ｈ’）と第２の締結部１６を初めに締結した場合の構造体の全高（Ｈ）の差で説明する。この説明を容易にするために図１と図２は変則的に示される。
【００１５】
図１において、締結前の一方の締結部材２と他方の被締結部材３の長手方向外側の穴同士の締結を第１の締結部（基準側）１５、長手方向内側の穴同士の締結を第２の締結部（従属側）１６として示す。
【００１６】
符号Ａは、第２の締結部１６の中心軸を仮想的に一致させた時のピッチ間許容差から生じる第１の締結部１５の中心軸のずれを示している。符号Ｈは、初めに第２の締結部１６で締結したと仮定した時の構造体の全高を示している。
【００１７】
図２は、一方の締結部材と他方の締結部材を締結した後の本発明による設計基準寸法を有する構造体を示す断面図である。
【００１８】
一方の締結部材２と他方の締結部材３とを締結する基準側リベット（図１の第１の締結部１５のリベット）１が一方の締結部材２の外面に頭部（フランジ）１１を置くように両締結部材２、３の穴４、６を通して挿入され、他方の締結部材３側から挿入された基準側リベットのマンドレル（カシメ部材）１２によってカシメ接合されている。
【００１９】
このカシメ接合によって基準側リベット１の膨径部１３が生じ、その膨径肉１４が他方の締結部材３の穴６の隙間に全周に略均等に食い込む。
【００２０】
次に、一方の締結部材２と他方の締結部材３とを締結する従属側リベット（図１の第２の締結部１６のリベット）２０が一方の締結部材２の外面に頭部（フランジ）２１を置くように両締結部材２、３の穴５、７を通して挿入され、他方の締結部材３側から挿入された従属側リベットのマンドレル２２によってカシメ接合されている。
【００２１】
このカシメ接合によって従属側リベット２０の膨径部２３が生じ、その膨径肉２４が他方の締結部材３の穴７の隙間に全周に略均等に食い込む。ここで、Ｈ’は、初めに第１の締結部１５を締結した時の構造体の全高を示し、ＢはＨ−Ｈ’の差である。
【００２２】
さらに、第１の締結部１５を初めに締結した場合について説明すると、図１の仮止め状態では第１の締結部１５の中心軸はＡだけずれているが、締結後は他方の締結部材３側に形成される図２の膨径肉１４が、他方の締結部材３の穴６の隙間に全周略均等に食い込むため、第１の締結部１５の中心軸は膨径１４の作用によって一直線に揃って締結され、このとき構造体の全高はＨ’となる。
【００２３】
第２の締結部１６を初めに締結した場合について説明すると、この場合、前記第１の締結部１５を初めに締結した場合と同じ作用が生じ、第２の締結部１６の中心軸は揃って締結される。したがって、このときの構造体の全高はＨとなる。
【００２４】
このＨとＨ’の差Ｂは全高の違いであり、例えば一方の締結部材２の上面に組み込む場合の部材の高さ（長さ）の違いである。よって、第１の締結部１５以外の締結部を初めに締結してしまうと、構造体の基準から全ての部材の取付け位置がずれてしまうことになり、構造体に組み込む部材の相対位置が正確に得られなくなる。
【００２５】
すなわち、他方の締結部材３のリベット挿入穴より小さいリベット挿入穴を有する一方の締結部材２と他方の締結部材３をリベットでカシメ接合する場合に、設計基準寸法を有する構造体を得るためには、第１の締結部１５、すなわち、両締結部材２、３の長手方向外側の穴の締結が最初に行われねばならない。
【００２６】
第２の締結部１６の締結では、初めに締結した第１の締結部１５の基準側リベット１の加工効果により、基準側リベット１は第２の締結部１６の従属側リベット２０の硬度より硬度が増しているため、第２の締結部１６の従属側リベット２０の締結により、第１の締結部１５の中心軸はずれることなく締結が完了する。
【００２７】
図２ではリベット挿入方向が同一側として示したが、本発明は、図示していないがリベット挿入方向を対向させた場合、締結部が３箇所或いはそれ以上ある場合も適用可能である。本発明は、ブラインドリベットにより締結される各種物品に応用可能である。
【００２８】
【発明の効果】
以上説明したように、請求項１および２によれば、基準となる締結部を初めに締結し、次に他の締結部を締結するため、構造体に組み込む部材の相対位置が正確に得られる構造体を提供できる。
【図面の簡単な説明】
【図１】本発明による構造体の締結前の状態を説明する概略図である。
【図２】一方の締結部材と他方の締結部材を締結した後の本発明による設計基準寸法を有する構造体を示す断面図である。
【図３】締結すべき２枚の締結部材を示す断面図である。
【図４】図３の締結部材の穴に締結リベットを挿入した状態を示す断面図である。
【図５】２枚の締結部材が締結リベットによって締結された状態を示す断面図である。
【符号の説明】
１　締結リベット（基準側リベット）
２　一方の締結部材
３　他方の締結部材
４　一方の締結部材の穴
６　他方の締結部材の穴
１５　第１の締結部
Ｈ’　　構造体の全高（設計基準寸法）
【図１】
2004108427.tif 000003
【図２】
2004108427.tif 000004
【図３】
2004108427.tif 000005
【図４】
2004108427.tif 000006
【図５】
2004108427.tif 000007